(57)【要約】【課題】非線形歪みの補償を簡単かつ精度よく制御できること。【解決手段】受信機４０１には、受信部１０６が受信した受信信号の再生により非線形歪みを検出する歪み検出部４０２を設ける。歪み検出部４０２は、検出した非線形歪みの情報を補償用信号Ｄ１として送信機１０１側に送信する。送信機１０１には、非線形歪みを補償する歪み補償部１０２が設けられ、補償用信号Ｄ１に基づいて送信回路が有する非線形歪みを補償する。受信機４０１側の歪み検出部４０２と、送信機１０１側の歪み補償部１０２は、制御ループが閉ループとされる。【選択図】図４
2010130071.tif 000002
【特許請求の範囲】
【請求項１】
受信信号の再生により非線形歪みを検出し、検出した非線形歪みの情報を、送信機側に設けられて非線形歪みを補償する歪み補償部に対する制御情報として出力する歪み検出部を備えたことを特徴とする非線形歪み補償装置。
【請求項２】
前記歪み検出部は、前記受信信号の再生時に観測された信号点および信号点間を移動する場合の通過座標と、基準となる信号点座標との対応関係に基づいて前記送信機側に設けられる増幅回路の入出力特性を求め、当該入出力特性を前記歪み補償部の補償用信号として出力する入出力特性変換部を備えたことを特徴とする請求項１に記載の非線形歪み補償装置。
【請求項３】
前記歪み検出部は、移動する信号点によって限定される信号点間の通過すべき基準座標を算出する基準値発生部と、
受信信号の再生時に観測された通過座標を抽出する通過座標抽出部と、
前記基準座標と前記通過座標との比較により得た歪み検出結果を、前記歪み補償部の補償用信号として出力する比較部と、
を備えたことを特徴とする請求項１に記載の非線形歪み補償装置。
【請求項４】
前記基準値発生部は、前記送信機側に設けられる帯域制限フィルタと同等のデジタルフィルタを備え、当該デジタルフィルタの出力を前記基準座標として得ることを特徴とする請求項３に記載の非線形歪み補償装置。
【請求項５】
受信信号の再生により非線形歪みを検出し、検出した非線形歪みの情報を、送信機側に設けられて非線形歪みを補償する歪み補償部に対する制御情報として出力する歪み検出工程を含むことを特徴とする非線形歪み補償方法。
【発明の詳細な説明】
【技術分野】
【０００１】
この発明は、デジタル無線通信を行う通信装置に設けられて非線形歪みを補償する非線形歪み補償装置および非線形歪み補償方法に関する。
【背景技術】
【０００２】
無線通信装置では、送信電力が高い方が通信品質に有利になるが、出力が増幅回路の飽和電力に近づくと非線形歪みが生じる。デジタル無線通信を行う無線通信装置では、送信機でデジタル信号を複数の規定の信号点にマッピングして変調を行い送信する。そして、受信機側で変調信号を復調する際、あるいは送信機側で変調する際のマッピング時に非線形歪みを補正する歪み補償の技術が開発されている（たとえば、下記特許文献１，２参照。）。
【０００３】
【特許文献１】特開２００４−１７２９２１号公報
【特許文献２】特開平８−１６３１９８号公報
【発明の開示】
【発明が解決しようとする課題】
【０００４】
しかしながら、従来の歪み補償の技術では以下の問題があった。
（課題１）送信機側で非線形歪み補償の対象となる増幅回路の入出力特性を数式化し、この数式を基に歪み補償を行う方法では、予め測定した増幅回路の特性を使用するため、増幅回路の状態変化に適応した制御が困難である。
（課題２）増幅回路で増幅された後の信号点の位置と正規の位置との差分（ズレ）を検出し、その差分を補正する方法では、通過信号点の位置にズレが生じるのは劣化の著しい歪みであり、最大電力となる信号点〜信号点の移動通過時が反映されず、送信アンテナ端でのスペクトラム劣化を補正するには充分ではない。
【０００５】
（課題３）受信機側で受信信号から歪みを検出する方法では、無線伝搬路におけるフェージング、降雨等による波形劣化、雑音の重畳およびこれらの通信品質劣化要因による信号誤りによって歪み検出を誤る。
（課題４）増幅回路の入出力特性を数式化し、この数式に基づいて歪み補償を行う装置で数式に含まれる係数を更新する適応型の歪み補償回路で複数の係数を独立制御することは制御が複雑化する。
（課題５）制御初期の補償量と発生している歪みの状況に大きな差異がある場合、または歪み発生状態が大きく変化し補償量と差異が大きくなった場合には、１回の制御更新で変更される補償量の変化量が大きい方が短時間で差異を小さくすることができるが、変化量が大きいままでは制御が収束し、差異が小さくなった状態では動作が安定しなくなる。
【０００６】
開示の非線形歪み補償装置および非線形歪み補償方法は、上述した問題点を解消するものであり、非線形歪みの補償を簡単かつ精度よく制御できることを目的とする。
【課題を解決するための手段】
【０００７】
上述した課題を解決し、目的を達成するため、開示技術は、受信信号の再生により非線形歪みを検出し、検出した非線形歪みの情報を、送信機側に設けられて非線形歪みを補償する歪み補償部に対する制御情報として出力する歪み検出部を備えることを要件とする。
【発明の効果】
【０００８】
開示の非線形歪み補償装置および非線形歪み補償方法によれば、非線形歪みの補償を簡単かつ精度よく制御でき、無線通信品質を向上できるという効果を奏する。
【発明を実施するための最良の形態】
【０００９】
以下に添付図面を参照して、この非線形歪み補償装置および非線形歪み補償方法の好適な実施の形態を詳細に説明する。この非線形歪み補償装置は、受信機側で実際に受信した信号を基に補償用信号を生成して送信機側の歪み補償部に送信する制御ループを基本構成としている。
【００１０】
（実施の形態１）
図１−１は、実施の形態１にかかる非線形歪み補償装置の構成を示す図である。この非線形歪み補償装置１００は、送信機１０１側に設けられる歪み補償部１０２と、受信機１０５側に設けられる受信部１０６と入出力特性変換部１０７とによって構成される。入出力特性変換部１０７は、以下に説明するように非線形歪みを検出する。また、図１−２は、送信機の内部構成を示す図である。送信機１０１には送信するデジタル信号が入力され、信号マッピング部１１１によってベースバンドのデジタル信号は、Ｉ，Ｑ分離した直交信号空間上の複数の規定の信号点にマッピングされる。歪み補償部１０２で歪み補償された信号は、変調部１１３でＰＳＫやＱＡＭ等の所定の線形変調が施され、周波数変換部１１４にてアップコンバートされ、増幅回路１１５で増幅して無線信号として送信される。
【００１１】
入出力特性変換部１０７は、受信部１０６で受信した無線信号と、受信再生したデジタル信号から、送信機１０１に設けられる増幅回路１１５の入出力特性を算出する。算出した入出力特性のデータは、受信機１０５側から送信機１０１側の歪み補償部１０２に対し補償用信号Ｄ１として無線信号等により送信される。送信機１０１側の歪み補償部１０２は、増幅回路１１５の増幅の非線形性を解消すべく、入力された補償用信号Ｄ１が示す入出力特性のデータに応じた歪み補償を行う。
【００１２】
図２は、実施の形態１にかかる歪み補償の制御処理を示すフローチャート、図３は、入出力特性変換部の変換状態を説明する図である。図２のステップＳ２００が受信機側で行う処理、ステップＳ２０６が送信機側で行う処理である。まず、送信機１０１は、歪み補償を施さない信号を送信し、受信機１０５の受信部１０６で無線信号を受信する（ステップＳ２０１）。次に、この受信信号を再生する（ステップＳ２０２）。この際、正規の信号点座標を算出する（ステップＳ２０３）。図３（ａ）における○が正規の信号点座標であり、●が受信信号として観測された信号点座標であったとする。
【００１３】
入出力特性変換部１０７は、正規の信号点座標を入力とし、受信信号点座標を出力として送信機１０１の増幅回路１１５の入出力特性に変換する（ステップＳ２０４）。図３（ｂ）に示す横軸が入力特性、縦軸が出力特性である。図示の例では６４ＱＡＭにおける信号点座標を示す図である。この入出力特性変換部１０７は、具体的には、受信信号を再生した再生信号および再生信号から算出した信号点間を移動する際に通過する信号空間上の座標と、観測された受信信号の座標の差Δを算出する。そして、算出された差異を信号点間距離（ユークリッド距離）で規格化した所定の関数である入出力特性ｆ（ｘ）に変換する。
【００１４】
そして、この入出力特性を示すｆ（ｘ）のデータは、送信機１０１側の歪み補償部１０２に補償用信号Ｄ１として送信される（ステップＳ２０５）。そして、送信機１０１側の歪み補償部１０２では、入力された入出力特性を示すデータｆ（ｘ）の非線形性を打ち消す補償を行う（ステップＳ２０６）。たとえば、図３（ｂ）の線形な入出力特性を基準として非線形な入出力特性ｆ（ｘ）と逆特性となる無線信号を送信するための制御を行う。
【００１５】
入出力特性変換部１０７は、補償用信号Ｄ１を連続的、あるいは定期的に送信する構成にできる。また、歪み補償部１０２は、受け取った補償用信号Ｄ１を図示しない記憶部に格納して上記歪み補償に用いる構成としてもよく、この場合、補償用信号Ｄ１を受け取る毎に記憶部のデータを更新すればよい。
【００１６】
上記構成によれば、受信機１０５側で実際の無線信号を受信し、非線形歪み補償の対象となる送信機１０１に設けられる増幅回路１１５の入出力特性を数式化する。このように、受信機１０５側で受信信号を受信し、この受信機１０５から送信機１０１に対して非線形歪みを補償するための補償用信号Ｄ１を送信する制御ループ（閉ループ）を形成することにより、増幅回路１１５の状態変化、たとえば、温度変化や増幅回路１１５のバラツキ等に適応した補償を行うことができるようになる。
【００１７】
（実施の形態２）
図４は、実施の形態２にかかる非線形歪み補償装置の構成を示す図である。実施の形態２に設ける受信機４０１に設けられる歪み検出部４０２は、信号点の基準座標を発生させる基準値発生部４０３と、観測した受信信号の通過座標を抽出する通過座標抽出部４０４と、基準値発生部４０３の基準座標と、通過座標とを比較する比較部４０５とを有している。
【００１８】
図５は、受信信号が信号点間を移動した際の信号空間上の通過信号点の座標を示すアイパターンである。横軸は時間、縦軸は振幅である。図示のように、複数の信号点Ｓ同士の間を移動する際には、通過座標Ｔが生じる。たとえば、検出部４０２は、移動する信号点によって限定される信号点Ｓ〜信号点Ｓ間の通過すべき基準座標を基準値発生部４０３から得る。具体的には、受信部１０６において同期検波された信号を基準値発生部４０３が有する図示しない識別器で識別し、デジタル信号を再生し、この再生されたデジタル信号によって通過するべき通過座標を内部の演算回路によって発生させた信号点移動の状態を基準座標とする。
【００１９】
また、受信信号として観測された通過座標を通過座標抽出部４０４から得る。たとえば、図中Ｔで示した箇所の通過座標は、最大電力となる箇所であるが、歪み発生時には、基準座標の位置に対して観測した受信信号の通過座標Ｔにズレが生じることになる。比較部４０５では、基準座標に対する通過座標の差分を得る。歪み検出部４０２は、この差分のデータを補償用信号Ｄ１として送信機１０１の歪み補償部１０２に送信し、歪み補償部１０２は、この検出された差分のデータを用いて歪みに応じた歪み補償を行う。
【００２０】
図６は、実施の形態２にかかる歪み補償の制御処理を示すフローチャートである。図６のステップＳ６００が受信機側で行う処理、ステップＳ６０１が送信機側で行う処理である。まず、送信機１０１は、歪み補償を施さない信号を送信し、受信機４０１の受信部１０６で無線信号を受信する（ステップＳ６１１）。次に、この受信信号を再生する（ステップＳ６１２）。
【００２１】
この際、歪み検出部４０２に設けられた基準値発生部４０３は、信号点Ｓの移動時の基準座標を算出する（ステップＳ６１３）。この後、歪み検出部４０２の比較部４０５により、通過座標抽出部４０４により受信信号を観測して得た通過座標と、基準値発生部４０３により算出した基準座標との差分ｅを算出する（ステップＳ６１４）。歪み検出部４０２は、この差分ｅのデータを送信機１０１側の歪み補償部１０２に送信する（ステップＳ６１５）。
【００２２】
図７は、差分の算出状態を示す具体例を示す図である。横軸が時間である。上段は通過座標であり、Ｓは信号点における通過座標、信号点Ｓの間は信号点Ｓ−Ｓ間の移動時の座標（通過座標）Ｔである。中段は基準値発生部４０３によって算出した基準座標である。差分ｅは、｜通過座標｜≧｜基準座標｜のとき「０」、｜通過座標｜＜｜基準座標｜のと「１」のデータを出力する。
【００２３】
図６に戻り説明すると、送信機１０１側の歪み補償部１０２では、差分ｅのデータを受け取ると、入力された差分ｅのデータに応じた歪み補償を行う（ステップＳ６１９）。この際、差分ｅのデータを用いた補償量の大小を判断し、補償不足である「１」の場合には（ステップＳ６１６：１）、補償量を増加させる（ステップＳ６１７）。一方、補償過多である「０」の場合には（ステップＳ６１６：０）、補償量を減少させる（ステップＳ６１８）。
【００２４】
上記構成によれば、受信機４０１側で実際の無線信号を受信し、非線形歪み補償の対象となる送信機１０１に設けられる増幅回路１１５（図１−２参照）で増幅された後の信号点の位置と正規の位置との差分（ズレ）を検出し、その差分を補正する制御を行う。このようにして、増幅回路１１５における劣化の著しい歪みの発生によって生じた通過信号点の位置のズレを用いて、最大電力となる信号点〜信号点の移動通過時の状態を考慮した歪み補正が行える。これにより、送信アンテナ端でのスペクトラム劣化を補正できるようになる。
【００２５】
（実施の形態３）
図８は、実施の形態３にかかる非線形歪み補償装置の構成を示す図である。実施の形態３は、実施の形態２（図４）で説明した歪み検出部４０２の内部構成について説明する。実施の形態３では、送信機１０１側で用いられる帯域制限フィルタと同等のデジタルフィルタ（ＦＩＲフィルタ）を受信機４０１側の基準値発生部４０３にも設ける。そして、受信機４０１で再生された信号を送信機１０１側で用いられる帯域制限フィルタと同等のデジタルフィルタ（ＦＩＲフィルタ）に入力し、その出力を歪み検出の基準値（受信機４０１側で観測されるべき信号の座標）とし、この基準値を使用して歪みを検出する。
【００２６】
図８に示すＡ／Ｄは、受信部１０６に設けられて受信アナログ信号をデジタル信号に変換するＡ／Ｄ変換器８０１である。以下、歪み検出部４０２の内部構成を説明する。基準値発生部４０３は、識別判定部８０２とＦＩＲフィルタ８０３とからなる。識別判定部８０２は、Ａ／Ｄ変換された受信信号の論理判定により送信信号を再生する。ＦＩＲフィルタ８０３は、送信機１０１側での帯域制限フィルタと同等の入出力特性である。また、通過座標抽出部４０４は、信号点〜信号点間の通過座標の抽出を行う。この通過座標抽出部４０４は、基準値発生部４０３のＦＩＲフィルタ８０３の処理時間に等しい遅延時間の遅延部を有して出力を遅延させる。比較部４０５は、実施の形態２同様に基準座標と通過座標の比較を行う。
【００２７】
図９は、受信信号が信号点間を移動した際の通過信号点の例を示す図である。縦軸が振幅、横軸が時間である。●は受信信号点、○は信号点の発生する位置、□は信号点移動の中間の位置である。図示のように、受信機４０１において同期検波された信号を基準値発生部４０３に含まれる識別判定部８０２で識別する。
【００２８】
図１０は、装置各部で検出される受信信号を示す図である。Ａ／Ｄ変換器８０１の出力ａは、デジタル信号Ｘ（ｍ）［ｍ：Ｎ−３，Ｎ−２，Ｎ−１，Ｎ，Ｎ＋１，Ｎ＋２，Ｎ＋３］が再生され、識別判定部８０２の出力ｂには、Ｘ（ｍ）［ｍ：Ｎ−３，Ｎ−１，Ｎ＋１，Ｎ＋３］が再生される。この再生されたデジタル信号を帯域制限を行うＦＩＲフィルタ８０３に入力することにより、ＦＩＲフィルタ８０３の出力ｃでは、出力信号点間を移動する際に通過する座標Ｒ（ｎ）［ｎ：Ｎ−２，Ｎ，Ｎ＋２］が再生される。この信号点間を移動する際に通過する座標Ｒ（ｎ）を基準値（基準座標）とする。
【００２９】
また、通過座標抽出部４０４では、受信信号に対して基準値発生部４０３における信号処理と同等の遅延を加え、出力ｄとして信号点間を移動する際の通過座標Ｓ（ｎ）［ｎ：Ｎ−２，Ｎ，Ｎ＋２］が抽出される。比較部４０５では、通過座標Ｓ（ｎ）と基準座標Ｒ（ｎ）の比較を行い、比較部４０５の出力ｅとして座標の差分ｅの情報Ｃ（ｎ）［ｎ：Ｎ−２，Ｎ，Ｎ＋２］が出力される。差分ｅは、歪み補償量の過不足の情報を含む。歪み検出部４０２は、この差分ｅのデータを補償用信号Ｄ１として送信機１０１の歪み補償部１０２に送信し、歪み補償部１０２は、この検出された差分ｅのデータを用いて歪みに応じた歪み補償を行う。
【００３０】
図１１は、実施の形態３にかかる歪み補償の制御処理を示すフローチャートである。図１１のステップＳ１１００が受信機側で行う処理、ステップＳ１１０７が送信機側で行う処理である。まず、送信機１０１は、歪み補償を施さない信号を送信し、受信機４０１の受信部１０６で無線信号を受信する（ステップＳ１１０１）。次に、この受信信号を再生する（ステップＳ１１０２）。
【００３１】
そして、識別判定部８０２で再生された受信再生信号を送信機１０１側の帯域制限フィルタと同等特性のＦＩＲフィルタ８０３に入力させる（ステップＳ１１０３）。これにより、ＦＩＲフィルタ８０３出力から信号点〜信号点の移動時の通過座標が算出される（ステップＳ１１０４）。この通過座標は基準値（基準座標）とされる。そして、比較部４０５により、基準座標と、通過座標抽出部４０４により抽出された受信信号の通過座標との差分ｅを算出する（ステップＳ１１０５）。歪み検出部４０２は、この差分ｅのデータを補償用信号Ｄ１として送信機１０１側の歪み補償部１０２に送信する（ステップＳ１１０６）。そして、送信機１０１側の歪み補償部１０２では、入力された補償用信号Ｄ１が示す差分ｅに基づき歪み補償を行う（ステップＳ１１０７）。
【００３２】
上記構成によれば、送信機１０１側で用いられる帯域制限フィルタと同等のＦＩＲフィルタ８０３を受信機４０１側にも設けることにより、送信機１０１側と同様の歪み発生の状態を受信機４０１側で観測し、ＦＩＲフィルタ８０３の出力を歪み検出の基準値として用いる。このようにして、増幅回路１１５における劣化の著しい歪みの発生によって生じた通過信号点の位置のズレを用いて、最大電力となる信号点〜信号点の移動通過時の状態を考慮した歪み補正が行える。これにより、送信アンテナ端でのスペクトラム劣化を補正できるようになる。
【００３３】
（実施の形態４）
図１２は、実施の形態４にかかる非線形歪み補償装置の構成を示す図である。実施の形態４では、歪み検出に使用する基準値（基準座標）を受信機１２００に設けた波形等化、干渉補償、誤り訂正の処理後の受信信号を用いて発生させることにより、無線伝搬路の特性を考慮した正確な歪み検出を行うものである。
【００３４】
受信部１０６により同期検波された受信信号の出力には、波形等化部１２０１が接続されている。波形等化部１２０１は、無線伝搬路における線形歪みを等化する。波形等化部１２０１の出力には、異偏波からの干渉を補償する干渉補償部１２０２と、波形劣化、干渉、熱雑音等による識別誤りを訂正する誤り訂正部１２０３が接続されている。これらの信号処理を行った再生デジタル信号が基準値発生部４０３に入力される。通過座標抽出部４０４には、受信部１０６で観測された受信信号が出力される。
【００３５】
図１３は、実施の形態４にかかる歪み補償の制御処理を示すフローチャートである。図１３のステップＳ１３００が受信機側で行う処理、ステップＳ１３０７が送信機側で行う処理である。まず、送信機１０１は、歪み補償を施さない信号を送信し、受信機１２００の受信部１０６で無線信号を受信する（ステップＳ１３０１）。次に、この受信信号を再生する（ステップＳ１３０２）。
【００３６】
そして、受信部１０６の出力は、波形等化部１２０１、干渉補償部１２０２、誤り訂正部１２０３を介して無線伝搬路における線形歪みの影響を除去する（ステップＳ１３０３）。この線形歪みの影響が除去された受信信号が歪み検出部４０２の基準値発生部４０３に入力される。基準値発生部４０３では、上記実施の形態で説明したように、信号点〜信号点の移動時の基準座標を算出する（ステップＳ１３０４）。この通過座標は基準値（基準座標）とされる。そして、比較部４０５により、基準座標と、通過座標抽出部４０４により抽出された受信信号の通過座標との差分ｅを算出する（ステップＳ１３０５）。歪み検出部４０２は、この差分ｅのデータを補償用信号Ｄ１として送信機１０１側の歪み補償部１０２に送信する（ステップＳ１３０６）。そして、送信機１０１側の歪み補償部１０２では、入力された補償用信号Ｄ１が示す差分ｅに基づき歪み補償を行う（ステップＳ１３０７）。
【００３７】
上記構成によれば、受信機側で受信信号から歪みを検出する構成でありながら、無線伝搬路におけるフェージング、降雨等による波形劣化、雑音の重畳およびこれらの通信品質劣化要因による信号誤りの影響を除去して基準値を得る構成であるため、信号点間を移動する際に通過する座標の算出精度を高めることができるようになる。これにより、歪み補償量の過不足判断の精度を高め、歪み補償量の精度を向上できるようになる。
【００３８】
（実施の形態５）
図１４は、実施の形態５にかかる非線形歪み補償装置の構成を示す図である。実施の形態５では、歪み有無の検出に適した電力が発生する特定の信号点の移動を検出し、この特定の信号点移動時の歪み検出結果を有効として歪み補償を行う構成である。
【００３９】
実施の形態５では、受信部１０６の出力に特定信号移動検出部１４０１を設け、歪み補償の有効／無効信号Ｄ２を送信機１０１の歪み補償部１０２に送信する。この特定信号移動検出部１４０１は、複数（たとえば、連続する４つ）の信号点（Ｎ−３，Ｎ−１，Ｎ＋１，Ｎ＋３）を観察し、移動した４つの信号点が特定の信号点であることが検出された場合に、歪み有無の検出結果が有効となることを示す有効信号Ｄ２を出力する。特定信号移動検出部１４０１は、歪み有無の検出に適した電力が発生する特定の信号点（Ｎ−３，Ｎ−１，Ｎ＋１，Ｎ＋３）の移動のパターンを特定信号移動条件として図示しない記憶部に記憶している。
【００４０】
図１５は、特定信号移動検出部における特定した信号点の移動の検出状態を説明する図である。図１５上部に示した受信信号の信号点が移動する状態の場合、サンプリングされた受信信号Ｎが最も大きな電力が発生する箇所である。この状態を仮定すると、実施の形態３同様に、歪み検出部４０２からは、差分ｅの情報Ｃ（ｎ）［ｎ：Ｎ−２，Ｎ，Ｎ＋２］が補償用信号Ｄ１として出力される。また、特定信号移動検出部１４０１では、受信信号の通過座標（Ｎ−３，Ｎ−１，Ｎ＋１，Ｎ＋３）の電力分布が最大電力に近くなるパターン（＋３→−３→−３→＋３）の移動が発生したことを検出し、差分ｅの情報Ｃ（Ｎ）の歪み検出結果を有効とする有効信号Ｄ２を出力する。送信機１０１の歪み補償部１０２は、有効信号Ｄ２が出力されている期間だけ、差分ｅの情報Ｃ（Ｎ）を用いて歪み補償を行う。４つの信号点の特定信号移動条件は、図中の（＋３→−３→−３→＋３）の移動に限らず、逆パターンである（−３→＋３→＋３→−３）とすることもできる。
【００４１】
図１６は、特定信号移動条件に合致した受信信号の電力の累積状態を示す図である。横軸は信号の電力、縦軸は発生確率（累積）である。特定信号移動条件に合致した場合の受信信号Ｎの電力は、図のように累積される。ここで、歪み検出部４０２における基準値は、図１６のＰ１と等しく設定する。Ｐ１は、平均電力と最大電力の中間位置である。これにより、特定信号移動条件に合致した場合の受信信号Ｎは、歪み補償によって歪みを解消できるようになる。そして、本来Ｐ１の電力となるべき受信信号について、歪み補償の結果、受信部１０６で正しくＰ１の電力で受信されるようになれば、比較部４０５による補償用信号Ｄ１の出力の値「１」と「０」の比率は等しくなり（図６参照）、歪み補償の制御が収束する。
【００４２】
図１７−１は、実施の形態５にかかる歪み補償の制御処理を示すフローチャートである。図１７−１のステップＳ１７００が受信機側で行う処理、ステップＳ１７１０が送信機側で行う処理である。まず、送信機１０１は、歪み補償を施さない信号を送信し、受信機１２００の受信部１０６で無線信号を受信する（ステップＳ１７０１）。次に、この受信信号を再生する（ステップＳ１７０２）。図示しないが、歪み検出部４０２は、実施の形態３同様に歪み検出結果である差分ｅの情報Ｃ（Ｎ）を補償用信号Ｄ１として出力する。
【００４３】
特定信号移動検出部１４０１は、受信信号が特定信号点を移動したか判断し（ステップＳ１７０３）、特定信号点の移動であるときには（ステップＳ１７０３：Ｙｅｓ）、歪み検出結果である補償用信号Ｄ１を有効とする有効信号Ｄ２（ＥＮ＝１）を送信機１０１の歪み補償部１０２に送信する（ステップＳ１７０４）。これにより、歪み補償部１０２は、歪み補償量を更新する（ステップＳ１７１１）。この際、歪み補償部１０２は、受け取った補償用信号Ｄ１を新たな歪み補償量として取り込む。
【００４４】
一方、特定信号点の移動でないときには（ステップＳ１７０３：Ｎｏ）、歪み検出結果である補償用信号Ｄ１を無効とする無効信号Ｄ２（ＥＮ＝０）を送信機１０１の歪み補償部１０２に送信する（ステップＳ１７０５）。これにより、歪み補償部１０２は、歪み補償量は更新せず、以前の状態の補償量のままを保持する（ステップＳ１７１２）。この際、歪み補償部１０２は、補償用信号Ｄ１の入力があっても取り込まない。
【００４５】
図１７−２は、各信号のタイミングチャートを示す図である。特定信号移動検出部１４０１は、時期ｔ１の際に受信信号の通過座標（Ｎ−３，Ｎ−１，Ｎ＋１，Ｎ＋３）の電力分布が最大電力に近くなるパターン（＋３→−３→−３→＋３）の移動の発生を検出する。これにより、補償用信号Ｄ１である歪み検出結果Ｃ（Ｎ）に対する有効信号Ｄ２が出力され、歪み補償部１０２は、この歪み検出結果に基づいた補償量で歪み補償する。有効信号Ｄ２は、信号点移動が特定のパターンの期間中だけ出力される（図中時期ｔ１〜ｔ２の期間）。したがって、時期ｔ２以降における歪み補償は、時期ｔ１で更新された補償量が用いられる。
【００４６】
図１８は、特定信号移動の判断の具体例を示すタイミングチャート図である。受信信号の通過座標は図７の状態と同じである。この実施の形態５によれば、通過座標の信号点Ｓの電力分布が最大電力に近くなるパターン（＋３→−３→−３→＋３）が発生したときだけ、有効／無効信号Ｄ２が「有効」とされ、その際の基準座標（−３．５）が検出結果Ｃ（Ｎ）として送信される。図７との対比で見れば、この時期以外の前後の時期においては、特定信号移動のパターンが一致せず、いずれも無効信号Ｄ２が送信される。
【００４７】
上記構成によれば、最大電力が生じる特定の信号移動のパターンを用い、この特定の信号点移動を判断することにより、最大電力による歪みが発生したときに歪み補償量を更新する一方、歪み発生の少ない低電力の信号点、信号点移動時における歪み補償量を用いないため、歪み補償の精度を向上できる。これにより、最大電力となる信号点〜信号点の移動通過時の状態を考慮した歪み補正が行える。これにより、送信アンテナ端でのスペクトラム劣化を補正できるようになる。
【００４８】
（実施の形態６）
図１９は、実施の形態６にかかる非線形歪み補償装置の構成を示す図である。実施の形態６では、実施の形態５同様に、歪み有無の検出に適した電力が発生する特定の信号点の移動を検出し、この特定の信号点移動時の歪み検出結果を有効として歪み補償を行う。そして、信号点移動の特定条件について、１）条件に合致する事象の発生率の高い条件と、２）事象の発生率は低いが歪み検出精度の高い条件とを選択的に切り替えることにより、歪み補償係数の収束を優先させるか、歪み検出の精度を優先させるかを最適に切り替えるものである。
【００４９】
図１９に示すように、実施の形態５（図１４）の構成に切替制御部１９０１が設けられている点が異なる。また、歪み検出部４０２は、実施の形態５で説明した連続した４つの信号点（Ｎ−３，Ｎ−１，Ｎ＋１，Ｎ＋３）に加えて、連続した６つの信号点（Ｎ−５，Ｎ−３，Ｎ−１，Ｎ＋１，Ｎ＋３，Ｎ＋５）を移動した際の歪み有無を検出する。さらに、特定信号移動検出部１４０１についても同様に、連続した特定の４つの信号点、および特定の６つの信号点の移動が発生したことを検出する。そして、切替制御部１９０１は、歪み検出および特定信号移動検出について、１）連続した４つの信号点で行うか、あるいは、２）連続した６つの信号点で行うかを切替信号ＳＷ１を出力して切り替える。１）の場合、制御の収束は速いが歪みの検出精度が低い（特定信号移動条件１）。２）の場合には、制御の収束は遅いが歪みの検出精度が高い（特定信号移動条件２）。
【００５０】
図２０は、特定信号移動条件別に合致した受信信号の電力の累積状態を示す図である。特定信号移動検出部１４０１は、特定信号移動条件２に切り替えられたときには、６つの信号点を用いるため、図２０に示すように、通過座標の分布の中心Ｐ２が４つの信号点を用いる（特定信号移動条件１）とした場合の中心Ｐ１よりも最大電力に近い値となり、大きい電力での歪み検出が可能となり、歪みの少ない状態でも歪み補償を行うことができるようになる。
【００５１】
図２１は、特定信号移動検出部における特定した信号点の移動の検出状態の切り替えを説明する図である。図２１上部に示した受信信号の信号点が移動する状態の場合、サンプリングされた受信信号Ｎが最も大きな電力が発生する箇所である（実施の形態５（図１５）の説明と同様）。特定信号移動条件１の場合には、図１５と同様に、差分ｅの情報Ｃ（Ｎ）の歪み検出結果を有効とする有効信号Ｄ２を出力する。ＥＮ１は、特定信号移動条件１の結果であり、値０は無効、１は有効である。ＥＮ２は、特定信号移動条件２の結果であり、値０は無効、１は有効である。
【００５２】
一方、特定信号移動条件２の場合には、歪みの少ない状態での補償も可能になるが、条件自体が厳しくなるため、特定信号移動条件２に合致した信号点移動の発生数が少なくなる。歪み補償制御の制御ループの収束が特定信号移動条件１の場合よりも長い時間を要することとなる。図２１に示すように、特定信号移動条件１の場合であれば差分ｅの情報Ｃ（Ｎ）に対する有効信号Ｄ２が出力されたが、特定信号移動条件２の場合には、この差分ｅの情報Ｃ（Ｎ）に対しては無効信号Ｄ２が出力されることになる。
【００５３】
図２２は、実施の形態６にかかる歪み補償の制御処理を示すフローチャートである。図２２のステップＳ２２００が受信機側で行う処理、ステップＳ２２２０が送信機側で行う処理である。図には、特定信号移動条件の切り替えに基づく制御処理を抽出して記載してある。また、不図示であるが、歪み補償開始の段階では、実施の形態５（図１７−１）等において説明したように、送信機１０１から歪み補償を施さない信号を送信し、受信機１２００の受信部１０６で無線信号を受信して受信信号を再生する。さらに、歪み検出部４０２は、歪み検出結果である差分ｅの情報Ｃ（Ｎ）を補償用信号Ｄ１として出力する。
【００５４】
まず、特定信号移動条件を設定する（ステップＳ２２０１）。ここで、制御ループの収束性を重視する場合には、特定信号移動条件１が選択され（ステップＳ２２０２）、以下の処理が実行される。特定信号移動検出部１４０１は、受信信号が特定信号移動条件１による信号点の移動に合致したか判断し（ステップＳ２２０３）、合致したときには（ステップＳ２２０３：Ｙｅｓ）、歪み検出の結果の有効信号Ｄ２を送信し（ステップＳ２２０４）、送信機１０１の歪み補償部１０２は歪み補償量を更新して歪み補償する（ステップＳ２２２１）。受信信号が特定信号移動条件１による信号点の移動に合致しないときには（ステップＳ２２０３：Ｎｏ）、歪み検出の結果の無効信号Ｄ２を送信し（ステップＳ２２０５）、送信機１０１の歪み補償部１０２は歪み補償量を更新せず、以前の補償量を用いて歪み補償する（ステップＳ２２２２）。この後、特定信号移動条件の切り替えを判断し（ステップＳ２２０６）、切り替えがなければ（ステップＳ２２０６：Ｎｏ）、ステップＳ２２０３に戻り同様の処理を繰り返す。切り替えがあれば（ステップＳ２２０６：Ｙｅｓ）、特定信号移動条件２が選択される（ステップＳ２２１０に移行）。
【００５５】
上記のステップＳ２２０１において、歪み検出の精度を重視する場合には、特定信号移動条件２が選択され（ステップＳ２２１０）、以下の処理が実行される。特定信号移動検出部１４０１は、受信信号が特定信号移動条件２による信号点の移動に合致したか判断し（ステップＳ２２１１）、合致したときには（ステップＳ２２１１：Ｙｅｓ）、歪み検出の結果の有効信号Ｄ２を送信し（ステップＳ２２１２）、送信機１０１の歪み補償部１０２は歪み補償量を更新して歪み補償する（ステップＳ２２２１）。受信信号が特定信号移動条件２による信号点の移動に合致しないときには（ステップＳ２２１１：Ｎｏ）、歪み検出の結果の無効信号Ｄ２を送信し（ステップＳ２２１３）、送信機１０１の歪み補償部１０２は歪み補償量を更新せず、以前の補償量を用いて歪み補償する（ステップＳ２２２２）。この後、特定信号移動条件の切り替えを判断し（ステップＳ２２１４）、切り替えがなければ（ステップＳ２２１４：Ｎｏ）、ステップＳ２２１１に戻り同様の処理を繰り返す。切り替えがあれば（ステップＳ２２１４：Ｙｅｓ）、特定信号移動条件１が選択される（ステップＳ２２０２に移行）。
【００５６】
上記の構成によれば、最大電力となる信号点〜信号点の移動通過時の状態を考慮した歪み補正が行え、送信アンテナ端でのスペクトラム劣化を補正できるようになる。加えて、最大電力が生じる特定の信号移動のパターンを複数用意することにより、制御の収束は速いが歪みの検出精度が低い特定信号移動条件１と、制御の収束は遅いが歪みの検出精度の高い特定信号移動条件２とを切り替えることにより、制御ループの収束にかかる時間と、歪みの検出精度とを選択して制御の最適化を図ることができるようになる。また、上記例では、２段階の切り替えとしたが、連続した信号点の数を増やしてさらに検出精度を高めた特定信号移動条件をさらに追加することにより、より多段階の切り替えを行う構成とすることもできる。
【００５７】
（実施の形態７）
図２３は、実施の形態７にかかる非線形歪み補償装置の構成を示す図である。実施の形態７は、実施の形態６の変形例であり、実施の形態６において説明した切替制御部１９０１を送信機１０１側に設けた構成である。
【００５８】
送信機１０１に設けられた切替制御部１９０１は、歪み検出結果を有効とする特定信号移動条件１，２の切替信号ＳＷ１を歪み補償部１０２側から歪み検出部４０２に対し指示することになる。
【００５９】
図２４は、特定信号移動条件の切り替えを説明するフローチャートである。送信機１０１は、電源投入時、あるいは出力停止状態から出力開始などの状態変化が生じたとき（送信開始時：ステップＳ２４０１）、切替制御部１９０１により受信機１２００に対して歪み検出条件の切り替えの切替信号ＳＷ１を送信して指示する。たとえば、はじめは特定信号移動条件１の選択指示を行う（ステップＳ２４０２）。これにより、受信機１２００の歪み検出部４０２に設けられた特定信号移動検出部１４０１は、特定信号移動条件１を選択し（ステップＳ２４１０）、この特定信号移動条件１に基づいて受信信号の歪みを検出し、歪み検出結果を送信機１０１の歪み補償部１０２に送信する（ステップＳ２４１１）。
【００６０】
この後、切替制御部１９０１により歪み検出条件の切り替えがあると（ステップＳ２４０３：Ｎｏのループ後のＹｅｓ）、特定信号移動条件２に切り替える切替信号ＳＷ１を送信して指示する（ステップＳ２４０４）。これにより、受信機１２００の歪み検出部４０２に設けられた特定信号移動検出部１４０１は、特定信号移動条件２を選択し（ステップＳ２４１２）、この特定信号移動条件２に基づいて受信信号の歪みを検出し、歪み検出結果を送信機１０１の歪み補償部１０２に送信する（ステップＳ２４１３）。送信機１０１側での上記処理は、送信停止（ステップＳ２４０５）するまで継続される。たとえば、特定信号移動条件１，２により歪み補償を行っても歪みが解消されないとき等には、送信を停止し保守を行うこととしてもよい。
【００６１】
図２５−１および図２５−２は、特定信号移動条件の切り替えタイミングの具体例を示す図である。図２４における条件切替（ステップＳ２４０３）の処理工程では、一定時間の経過、あるいは制御ループの収束を監視して自動的に切替信号ＳＷ１を送信することができる。図２５−１に示すタイミングチャートは、タイマー動作により条件切り替えする例である。切替制御部１９０１は、送信機１０１の送信開始後、はじめに特定信号移動条件１を選択する切替信号ＳＷ１を送信し、設定時間Ｔ１の経過後に特定信号移動条件２を選択する切替信号ＳＷ１を送信する。
【００６２】
また、図２５−２に示すタイミングチャートは、制御ループ監視により条件切り替えする例である。切替制御部１９０１は、送信機１０１の送信開始後、はじめに特定信号移動条件１を選択する切替信号ＳＷ１を送信してから、歪み補償部１０２による歪み補償の制御が未収束の期間Ｔ２は、この特定信号移動条件１による制御を継続する。この後、歪み補償部１０２による歪み補償の制御が収束すると、特定信号移動条件２を選択する切替信号ＳＷ１を送信し、特定信号移動条件２による制御に切り替える。
【００６３】
上記の構成によれば、最大電力となる信号点〜信号点の移動通過時の状態を考慮した歪み補正が行え、送信アンテナ端でのスペクトラム劣化を補正できるようになる。また、電源起動時等の初期状態からの速やかな制御ループの収束を図ることができ、また、収束後の歪み補償の精度を向上できるようになる。また、歪み補償部１０２の回路と、歪み検出部４０２の回路とが異なる回路基板上に設けられている場合にも対応でき、速やかに歪み補償できるようになる。
【００６４】
（実施の形態８）
図２６は、実施の形態８にかかる非線形歪み補償装置の構成を示す図である。実施の形態８は、実施の形態６（図１９）の変形例であり、受信信号が特定信号移動条件１，２のいずれに合致しているかをそれぞれ検出する構成である。
【００６５】
歪み検出部４０２は、連続する４つの信号点（Ｎ−３，Ｎ−１，Ｎ＋１，Ｎ＋３）に対する基準値と、連続する６つの信号点（Ｎ−５，Ｎ−３，Ｎ−１，Ｎ＋１，Ｎ＋３，Ｎ＋５）に対する基準値とを信号の通過座標（Ｎ）と比較して歪みの有無を判定し、２つの基準値との比較結果をそれぞれシリアル信号（Ｃ，Ｃ２）化された補償用信号Ｄ１として歪み補償部１０２に送信する。
【００６６】
歪み検出結果を有効とする特定の信号移動条件は、上述したように、制御ループ収束を優先する特定信号移動条件１と、歪み補償の精度を優先する特定信号移動条件２の２つがある。受信機１２００には、特定信号移動条件１に合致しているか検出する特定信号移動条件１検出部１４０１ａと、特定信号移動条件２に合致しているか検出する特定信号移動条件２検出部１４０１ｂとを設ける。特定信号移動条件１検出部１４０１ａは、連続する４つの信号点が特定条件に合致するか否かを検出する。特定信号移動条件２検出部１４０１ｂは、連続する６つの信号点が特定条件に合致するか否かを検出する。これら特定信号移動条件検出部（１４０１ａ，１４０１ｂ）の２つの出力は、Ｐ／Ｓ変換回路２６０１によって１本のシリアル信号に変換され、有効／無効信号Ｄ２として歪み補償部１０２に送信される。
【００６７】
図２７は、特定信号移動条件検出部における特定した信号点の移動の検出状態を説明する図である。図２７に示すように、特定信号移動条件１検出部１４０１ａは、４つの信号点の特定信号移動条件１として、図２７中上部に記載した（＋３→−３→−３→＋３）の移動、または逆パターンである（−３→＋３→＋３→−３）の移動とする。また、特定信号移動条件２検出部１４０１ｂは、６つの信号点の移動特定条件として、図中の（−３→＋３→−３→−３→＋３→−３）の移動、または（＋３→−３→＋３→＋３→−３→＋３）の移動とする。そして、特定信号移動条件１による移動検出結果ＥＮ１と、特定信号移動条件２の検出結果ＥＮ２のタイミングに合わせて有効／無効信号Ｄ２を送信する。
【００６８】
図２８−１は、特定信号移動条件の合致検出の処理を説明するフローチャートである。受信機側の処理を記載してある。受信機１２００は、信号を受信すると（ステップＳ２８０１）、特定信号移動条件１検出部１４０１ａおよび特定信号移動条件２検出部１４０１ｂにてそれぞれ並行して条件に合致しているか判断する。特定信号移動条件１検出部１４０１ａ側では、特定信号移動条件１に合致しているか判断し（ステップＳ２８０２）、合致していれば（ステップＳ２８０２：Ｙｅｓ）、合致情報としてＥＮ１の値を「１」にし（ステップＳ２８０３）、歪み検出部４０２の検出結果Ｃを更新し（ステップＳ２８０４）、ステップＳ２８１０に移行する。合致していなければ（ステップＳ２８０２：Ｎｏ）、合致情報としてＥＮ１の値を「０」にし（ステップＳ２８０５）、ステップＳ２８１０に移行する。
【００６９】
特定信号移動条件２検出部１４０１ｂ側では、特定信号移動条件２に合致しているか判断し（ステップＳ２８０６）、合致していれば（ステップＳ２８０６：Ｙｅｓ）、合致情報としてＥＮ２の値を「１」にし（ステップＳ２８０７）、歪み検出部４０２の検出結果Ｃ２を更新し（ステップＳ２８０８）、ステップＳ２８１０に移行する。合致していなければ（ステップＳ２８０６：Ｎｏ）、合致情報としてＥＮ２の値を「０」にし（ステップＳ２８０９）、ステップＳ２８１０に移行する。
【００７０】
ステップＳ２８１０では、合致情報ＥＮ１，ＥＮ２をシリアル信号化し（ステップＳ２８１０）、有効／無効信号Ｄ２と補償用信号Ｄ１とを送信機１０１の歪み補償部１０２に送信する（ステップＳ２８１１）。
【００７１】
図２８−２は、特定信号移動条件の合致検出の処理を説明するフローチャートである。送信機側の処理を記載してある。送信機１０１の歪み補償部１０２は、送信開始後に（ステップＳ２８２１）、受信機１２００側から送信された合致情報ＥＮ１，ＥＮ２（有効／無効信号Ｄ２）と、歪み検出結果Ｃ，Ｃ２（補償用信号Ｄ１）を受信する（ステップＳ２８２２）。歪み補償部１０２は、電源起動直後等、制御ループが初期状態のときには、特定信号移動条件１を選択し（ステップＳ２８２３）、特定信号移動条件１に合致した信号点移動の発生数の多い検出結果Ｃ（Ｎ）を使用して制御ループの収束を進める。この際、ＥＮ１の値が有効「１」であれば（ステップＳ２８２４：Ｙｅｓ）、歪み検出結果Ｃに応じて歪み補償量を更新する（ステップＳ２８２５）。一方、ＥＮ１の値が無効「０」であれば（ステップＳ２８２４：Ｎｏ）、受け取った補償用信号Ｄ１が示す歪み検出結果Ｃは用いずに以前の歪み補償量を保持し歪み補償する（ステップＳ２８２６）。
【００７２】
この後、条件切替を判断する（ステップＳ２８２７）。この際、実施の形態７において説明したように歪み補償部１０２は、一定時間が経過するまで、あるいは制御ループが未収束の間は条件切替せず（ステップＳ２８２７：Ｎｏ）、ステップＳ２８２４に戻るが、一定時間の経過、あるいは制御ループの収束により条件切替する（ステップＳ２８２７：Ｙｅｓ）。
【００７３】
このように、制御ループの収束が進んだのちに検出精度の高い検出結果Ｃ２（Ｎ）を使用した歪み補償を行う。まず、特定信号移動条件２を選択し（ステップＳ２８２８）、ＥＮ２の値が有効「１」であれば（ステップＳ２８２９：Ｙｅｓ）、歪み検出結果Ｃ２に応じて歪み補償量を更新する（ステップＳ２８３０）。一方、ＥＮ２の値が無効「０」であれば（ステップＳ２８２９：Ｎｏ）、受け取った補償用信号Ｄ１が示す歪み検出結果Ｃ２は用いずに以前の歪み補償量を保持し歪み補償する（ステップＳ２８３１）。
【００７４】
上記の構成によれば、最大電力となる信号点〜信号点の移動通過時の状態を考慮した歪み補正が行え、送信アンテナ端でのスペクトラム劣化を補正できるようになる。加えて、異なる特定信号移動条件に合致しているかを同時並行で検出できるため、これら検出条件自体を切り替える構成で生じる条件合致の見落としを防ぐことができるようになる。これにより、初期状態からの速やかな制御ループ収束と、収束後の歪み補償の精度の確保を両立させることができるようになる。また、上記の構成の変形例としては、歪み検出部４０２が出力する補償用信号Ｄ１もＰ／Ｓ変換回路２６０１に入力する構成とし、補償用信号Ｄ１と、有効／無効信号Ｄ２とをまとめてシリアル信号化する構成にすることもできる。
【００７５】
（実施の形態９）
図２９は、実施の形態９にかかる非線形歪み補償装置の構成を示す図である。実施の形態９は、実施の形態８（図２６）の変形例であり、受信信号が特定信号移動条件１，２のいずれに合致しているかをそれぞれ検出し、検出結果の送出の方法を変更した構成である。
【００７６】
歪み検出結果を有効とする特定の信号移動条件については、実施の形態８同様に、制御ループ収束を優先する特定信号移動条件１、歪み補償の精度を優先する特定信号移動条件２とする。そして、特定信号移動条件２については、特定信号移動条件１が示す条件内容を含み、より条件項目数の多い条件として設定する（図３０の点線の範囲）。これにより、特定信号移動条件１に合致した場合には特定信号移動条件１に応じた検出結果を送信する。一方、特定信号移動条件２に合致した場合には、特定信号移動条件２であることを示す検出結果を送信するようにする。これにより歪み補償部１０２側では、特定信号移動条件２に合致するまでの間は、特定信号移動条件１を用いた歪み補償を行い、特定信号移動条件２の選択後には、特定信号移動条件２を用いた歪み補償を行う。
【００７７】
図２９の構成において、選択回路（ＳＥＬ）２９０１は、合致した特定信号移動条件１，２の検出結果（有効／無効信号Ｄ２）と、特定信号移動条件に基づいた歪み検出結果（補償用信号Ｄ１）とを選択、出力する。
【００７８】
図３０は、特定信号移動検出部１，２における特定した信号点の移動の検出状態を説明する図である。受信信号の信号点移動の状態は、実施の形態８（図２７）と同様である。そして、特定信号移動条件２検出部１４０１ｂにおいて、受信信号の信号点の移動が特定信号移動条件２に合致した場合には、特定信号移動条件１にも合致していることとなる（図中点線の範囲）。選択回路２９０１は、特定信号移動条件１のみに合致した場合には、特定信号移動条件１での歪み検出結果ＣをＤ１として送信し、特定信号移動条件２に合致した場合には、特定信号移動条件２での歪み検出結果Ｃ２を補償用信号Ｄ１として歪み補償部１０２に送信する。同時に、特定信号移動条件２に合致したとき（図中ＥＮ１＝１，ＥＮ２＝１）、このＥＮ１＝１，ＥＮ２＝１を有効信号Ｄ２として歪み補償部１０２に送信する。
【００７９】
図３１−１は、特定信号移動条件の合致検出の処理を説明するフローチャートである。受信機側の処理を記載してある。受信機１２００は、信号を受信すると（ステップＳ３１０１）、特定信号移動条件１検出部１４０１ａおよび特定信号移動条件２検出部１４０１ｂにてそれぞれ並行して条件に合致しているか判断する。特定信号移動条件１検出部１４０１ａ側では、特定信号移動条件１に合致しているか判断し（ステップＳ３１０２）、合致していれば（ステップＳ３１０２：Ｙｅｓ）、歪み検出部４０２の検出結果Ｃを更新し（ステップＳ３１０３）、ステップＳ３１０５に移行する。一方、合致しなければ（ステップＳ３１０２：Ｎｏ）、合致情報のＥＮ１，ＥＮ２の値をいずれも「０」（歪み検出結果無効）にして送信機１０１に送信する（ステップＳ３１０４）。
【００８０】
ステップＳ３１０５では、特定信号移動条件２検出部１４０１ｂ側において、特定信号移動条件２に合致しているか判断する。合致していれば（ステップＳ３１０５：Ｙｅｓ）、歪み検出部４０２の検出結果ＣをＣ２に更新し（ステップＳ３１０６）、合致情報としてＥＮ１，ＥＮ２の値をいずれも「１」（信号条件１，２に合致）にし（ステップＳ３１０７）、歪み検出結果Ｃ２を送信機１０１に送信する（ステップＳ３１０７）。一方、合致しなければ（ステップＳ３１０５：Ｎｏ）、合致情報のＥＮ１の値を「１」、ＥＮ２の値は「０」（信号条件１のみに合致）にして歪み検出結果Ｃを送信機１０１に送信する（ステップＳ３１０８）。
【００８１】
図３１−２は、特定信号移動条件の合致検出の処理を説明するフローチャートである。送信機側の処理を記載してある。送信機１０１の歪み補償部１０２は、送信開始後に（ステップＳ３１１１）、受信機１２００側から送信された合致情報ＥＮ１，ＥＮ２（有効／無効信号Ｄ２）と、歪み検出結果Ｃ（補償用信号Ｄ１）を受信する（ステップＳ３１１２）。歪み補償部１０２は、電源起動直後等、制御ループが初期状態のときには、特定信号移動条件１を選択し（ステップＳ３１１３）、特定信号移動条件１に合致した信号点移動の発生数の多い検出結果Ｃ（Ｎ）を使用して制御ループの収束を進める。次に、ＥＮ１，ＥＮ２の値を判断する（ステップＳ３１１４）。ＥＮ１の値が有効「１」であれば（ＥＮ２の値は問わない）（ステップＳ３１１４：ＥＮ１＝１）、歪み検出結果Ｃに応じて歪み補償量を更新する（ステップＳ３１１５）。一方、ＥＮ１，ＥＮ２の値がいずれも無効「０」であれば（ステップＳ３１１４：ＥＮ１＝０，ＥＮ２＝０）、受け取った補償用信号Ｄ１が示す歪み検出結果Ｃは用いずに以前の歪み補償量を保持し歪み補償する（ステップＳ３１１６）。
【００８２】
この後、条件切替を判断する（ステップＳ３１１７）。この際、実施の形態７において説明したように歪み補償部１０２は、一定時間が経過するまで、あるいは制御ループが未収束の間は条件切替せず（ステップＳ３１１７：Ｎｏ）、ステップＳ３１１４に戻るが、一定時間の経過、あるいは制御ループの収束により条件切替する（ステップＳ３１１７：Ｙｅｓ）。
【００８３】
このように、制御ループの収束が進んだのちに検出精度の高い検出結果Ｃ２（Ｎ）を使用した歪み補償を行う。まず、特定信号移動条件２を選択し（ステップＳ３１１８）、ＥＮ２の値が有効「１」であれば（ステップＳ３１１９：ＥＮ２＝１）、歪み検出結果Ｃ２に応じて歪み補償量を更新する（ステップＳ３１２０）。一方、ＥＮ２の値が無効「０」であれば（ステップＳ３１１９：ＥＮ２＝０）、受け取った補償用信号Ｄ１が示す歪み検出結果Ｃ２は用いずに以前の歪み補償量を保持し歪み補償する（ステップＳ３１２１）。
【００８４】
上記の構成によれば、最大電力となる信号点〜信号点の移動通過時の状態を考慮した歪み補正が行え、送信アンテナ端でのスペクトラム劣化を補正できるようになる。加えて、異なる特定信号移動条件に合致しているかを同時並行で検出できるため、これら検出条件自体を切り替える構成で生じる条件合致の見落としを防ぐことができるようになる。また、制御ループが初期状態のときには、特定信号移動条件１に合致した信号点移動の発生数の多い検出結果を使用して制御ループの収束を進め、ループの収束が進んだのちに特定信号移動条件２に合致した精度の高い検出結果のみを使用して、精度の高い歪み補償を行うことができる。
【００８５】
（実施の形態１０）
図３２は、実施の形態１０にかかる非線形歪み補償装置の構成を示す図である。実施の形態１０は、受信した信号点の座標と、正規の座標との差異が予め設定した閾値を超えた場合に歪み検出結果を無効とする構成である。
【００８６】
図３２において、受信部１０６の出力には信号点誤差検出部３２０１が接続される。この信号点誤差検出部３２０１は、受信信号の信号点座標と、正規の信号点座標との距離（差異）を検出し、差異が基準値を超えた場合に有効／無効信号Ｄ２の内容を無効として出力する。送信機１０１側には、補償量制御部３２０２が設けられる。補償量制御部３２０２には、補償用信号Ｄ１と、有効／無効信号Ｄ２が入力され、無効信号Ｄ２が入力されたときには、歪み検出結果である補償用信号Ｄ１を無効として歪み補償部１０２に出力する。補償量制御部３２０２は、受信機１２００側に設けてもよい。
【００８７】
図３３−１は、信号点誤差検出部の検出内容を説明する図である。横軸は時間、縦軸は誤差（差異）である。信号点誤差検出部３２０１には、正規の信号点座標との距離を中心として±に所定の範囲を有する閾値を設けている。そして、信号点誤差検出部３２０１は、受信信号の信号点座標が、正規の信号点座標を中心とする閾値の範囲内にある期間は歪み検出結果を有効とし、受信信号の信号点座標が、閾値の範囲外となるＴ３の期間中は歪み検出結果を無効とする。この閾値の範囲外の発生はフェージング発生に相当し、フェージングによる歪みも含んだ歪み検出結果を無効にできる。
【００８８】
図３３−２は、実施の形態１０にかかる歪み補償の制御処理を示すフローチャートである。信号点誤差検出部３２０１の処理を抽出して記載してある。受信部１０６で信号受信すると（ステップＳ３３０１）、受信信号を再生した後における正規の信号点座標と受信信号点座標の距離（差異ｅ）を算出する（ステップＳ３３０２）。次に、この差異ｅの絶対値と、閾値とを比較する。具体的には、差異｜ｅ｜≦閾値であれば（ステップＳ３３０３：Ｙｅｓ）、歪み検出結果を有効とする有効信号Ｄ２を送信機１０１に送信する（ステップＳ３３０４）。一方、差異｜ｅ｜＞閾値であれば（ステップＳ３３０３：Ｎｏ）、歪み検出結果を無効とする無効信号Ｄ２を送信機１０１に送信する（ステップＳ３３０５）。
【００８９】
上記構成によれば、信号点での電力の大小にかかわりなく、信号点の正規位置からのズレ（誤差）を監視し、誤差が基準値を超えた場合にフェージング等の発生と判断し、フェージングによる歪みも含んだ歪み検出結果を無効とする。これにより、無線伝搬路で発生したフェージング等を原因とした波形劣化の影響を受けずに歪み補償でき、補償精度の劣化を回避できる。
【００９０】
（実施の形態１１）
図３４は、実施の形態１１にかかる非線形歪み補償装置の構成を示す図である。実施の形態１１は、受信信号の受信電力を検知し、予め設定した閾値よりも低下した場合に歪み検出結果を無効とする構成である。
【００９１】
図３４において、受信部１０６の出力には受信電力低下検出部３４０１が接続される。この受信電力低下検出部３４０１は、受信電力を監視し、予め設定した閾値よりも低下した場合に有効／無効信号Ｄ２の内容を無効として出力する。送信機１０１側には、実施の形態１０同様に補償量制御部３２０２が設けられる。補償量制御部３２０２には、補償用信号Ｄ１と、有効／無効信号Ｄ２が入力され、無効信号Ｄ２が入力されたときには、歪み検出結果である補償用信号Ｄ１を無効として歪み補償部１０２へ出力する。補償量制御部３２０２は、受信機１２００側に設けてもよい。
【００９２】
図３５−１は、受信電力低下検出部の検出内容を説明する図である。横軸は時間、縦軸は受信電力である。受信電力低下検出部３４０１には、所定の受信電力を基準とする閾値を設けている。そして、受信電力低下検出部３４０１は、受信信号の電力が、閾値以上の期間は歪み検出結果を有効とし、受信信号の電力が閾値未満となったＴ３の期間中は歪み検出結果を無効とする。この閾値未満の発生はフェージングや降雨発生等に相当し、フェージング降雨等による歪みも含んだ歪み検出結果を無効にできる。
【００９３】
図３５−２は、実施の形態１１にかかる歪み補償の制御処理を示すフローチャートである。受信電力低下検出部３４０１の処理を抽出して記載してある。受信部１０６で信号受信すると（ステップＳ３５０１）、受信信号の受信電力Ｐｒを検出する（ステップＳ３５０２）。そして、受信電力Ｐｒと閾値とを比較する。具体的には、Ｐｒ≧閾値であれば（ステップＳ３５０３：Ｙｅｓ）、歪み検出結果を有効とする有効信号Ｄ２を送信機１０１に送信する（ステップＳ３５０４）。一方、Ｐｒ＜閾値であれば（ステップＳ３５０３：Ｎｏ）、歪み検出結果を無効とする無効信号Ｄ２を送信機１０１に送信する（ステップＳ３５０５）。
【００９４】
上記構成によれば、受信信号の受信電力を検出し、閾値より下がった場合にフェージングや降雨等の発生と判断し、フェージングや降雨等による歪みも含んだ歪み検出結果を無効とする。これにより、無線伝搬路で発生したフェージングや降雨等を原因として生じる受信電力低下による信号電力対雑音電力比（ＳＮＲ）低下が及ぼす波形劣化等の影響を受けずに歪み補償でき、補償精度の劣化を回避できる。
【００９５】
（実施の形態１２）
図３６は、実施の形態１２にかかる非線形歪み補償装置の構成を示す図である。実施の形態１２は、デジタル信号処理過程で受信再生信号の誤り率劣化を検知し、予め設定した閾値よりも劣化した場合に歪み検出結果を無効とする構成である。
【００９６】
図３６において、受信部１０６に接続され受信信号を再生するデジタル信号処理部３６０１は、再生デジタル信号に対しパリティ検査等の処理を行う。そしてパリティ検査の結果が予め設定した閾値よりも低下した場合に有効／無効信号Ｄ２の内容を無効として出力する。送信機１０１側には、実施の形態１０同様に補償量制御部３２０２が設けられる。補償量制御部３２０２には、補償用信号Ｄ１と、有効／無効信号Ｄ２が入力され、無効信号Ｄ２が入力されたときには、歪み検出結果である補償用信号Ｄ１を無効として歪み補償部１０２へ出力する。補償量制御部３２０２は、受信機１２００側に設けてもよい。
【００９７】
図３７−１は、デジタル信号処理部による誤り率の検出内容を説明する図である。横軸は時間、縦軸は誤り率である。デジタル信号処理部３６０１には、所定の誤り率Ｐｅを基準とする閾値を設けている。そして、デジタル信号処理部３６０１は、誤り率が、閾値以下の期間は歪み検出結果を有効とし、受信信号の電力が閾値を超えたＴ３の期間中は歪み検出結果を無効とする。この閾値を超える誤り率の発生は受信信号点の識別誤りが劣化したとき等に生じ、このときの歪み検出結果を無効にできる。
【００９８】
図３７−２は、実施の形態１２にかかる歪み補償の制御処理を示すフローチャートである。デジタル信号処理部３６０１の処理を抽出して記載してある。受信部１０６で信号受信し（ステップＳ３７０１）、デジタル信号処理部３６０１でデジタル信号を再生する際に誤り率Ｐｅを検出する（ステップＳ３７０２）。そして、誤り率Ｐｅと閾値とを比較する。具体的には、Ｐｅ≦閾値であれば（ステップＳ３７０３：Ｙｅｓ）、歪み検出結果を有効とする有効信号Ｄ２を送信機１０１に送信する（ステップＳ３７０４）。一方、Ｐｅ＞閾値であれば（ステップＳ３７０３：Ｎｏ）、歪み検出結果を無効とする無効信号Ｄ２を送信機１０１に送信する（ステップＳ３７０５）。
【００９９】
上記構成によれば、受信信号の再生時における誤り率を検出し、受信信号点の識別誤りが劣化し、信号点または信号点移動時の通過座標による歪み検出結果に誤りが含まれると判断した場合には歪み検出結果を無効とする。これにより、識別を誤った受信信号による特定信号移動検出の影響を除去し、補償精度の劣化を回避できる。
【０１００】
（実施の形態１３）
図３８は、実施の形態１３にかかる非線形歪み補償装置の構成を示す図である。実施の形態１３は、送信機１０１の増幅回路１１５（図１−２参照）の歪み補償を行う歪み補償部１０２を数式に基づき制御する場合において、制御処理の簡単化を図るものである。
【０１０１】
送信機１０１には、入力される補償用信号Ｄ１に基づき係数を設定して歪み補償部１０２を制御する係数設定部３８０１が設けられる。歪み補償部１０２は、増幅回路１１５の入出力特性ｘを入力とした近似式Ｆ（ｘ）＝Ｋ１・ｘ＋Ｋ３・ｘ３＋Ｋ５・ｘ５＋Ｋ７・ｘ７で近似し、近似式に応じて歪み補償を行う。係数設定部３８０１は、係数制御部３８０２と、係数発生部３８０３を有する。係数発生部３８０３は、近似式Ｆ（ｘ）における係数Ｋ１、Ｋ３、Ｋ５、Ｋ７を歪み補償部１０２に送出する。係数制御部３８０２は、入力される補償用信号Ｄ１に基づき、係数発生部３８０３の係数Ｋ１、Ｋ３、Ｋ５、Ｋ７に対する係数設定を制御する。歪み補償部１０２は、設定された係数に基づき増幅回路１１５の状態に適応した歪み補償を行う。
【０１０２】
そして、係数制御部３８０２は、数式化された増幅回路１１５の入出力特性を構成する複数の係数Ｋ１、Ｋ３、Ｋ５、Ｋ７の中で変化の影響の少ない高次の係数Ｋ５、Ｋ７については初期値に固定し、影響の大きい低次の係数Ｋ１、Ｋ３のみを可変制御する。これにより、数式を基に補償量を制御する歪み補償部１０２に対する制御を複雑化することなく増幅回路１１５の状態に適応した歪み補償の制御が行える。
【０１０３】
上記構成によれば、増幅回路１１５の入出力特性を数式化して歪み補償制御する場合において、補償量に対する影響の少ない高次の係数Ｋ５、Ｋ７を固定値とすることにより、歪み補償の制御を簡単に行えるようになる。
【０１０４】
（実施の形態１４）
図３９は、実施の形態１４にかかる非線形歪み補償装置の構成を示す図である。実施の形態１４は、送信機１０１の増幅回路１１５（図１−２参照）の歪み補償を行う歪み補償部１０２を数式に基づき制御する場合において、制御処理の簡単化を図るものである。
【０１０５】
係数制御部３８０２は、実施の形態１３同様に係数Ｋ１、Ｋ３、Ｋ５、Ｋ７を設定する。この係数制御部３８０２には、歪み検出結果である補償用信号Ｄ１と、上記実施の形態で説明した有効／無効信号Ｄ２が入力され、これらに基づいて、各係数毎に予め適当な変化量の定数（Ａ１，Ａ３，Ａ５，Ａ７）と変化方向（増減±）を定めて出力する。
【０１０６】
そして、有効／無効信号Ｄ２が有効あるいは無効の情報に応じて、係数毎に重みづけされた定数Ａの加算、または減算を行って出力する。複数の係数Ｋ１、Ｋ３、Ｋ５、Ｋ７は、係数発生部３８０３に設けられる積分回路３８０３ａによってそれぞれ積分して出力される。
【０１０７】
歪み補償部１０２が近似式Ｆ（ｘ）＝Ｋ１・ｘ＋Ｋ３・ｘ３＋Ｋ５・ｘ５＋Ｋ７・ｘ７で近似し、近似式の係数に基づいて歪み補償を行う際に、各係数毎に予め適当な変化量（Ａ１，Ａ３，Ａ５，Ａ７）と変化方向（増減±）を定める。有効／無効信号Ｄ２が無効時には値「０」加算の制御を行う。積分回路３８０３ａでは、係数Ｋ１、Ｋ３、Ｋ５、Ｋ７に対応した適当な初期値を設定しておく。これにより、係数Ｋ１、Ｋ３、Ｋ５、Ｋ７に対応した適当な初期値を各積分回路３８０３ａに設定し、係数制御部３８０２においては係数Ｋ１、Ｋ３、Ｋ５、Ｋ７に対応した大きさと極性±を設定した定数Ａ１，Ａ３，Ａ５，Ａ７に対し、一律な加算（＋）／減算（−）指示と、無効時の値「０」加算の制御を行うだけで歪み補償部１０２に対する制御を簡単に行えるようになる。また、補償用信号Ｄ１が示す１ビットの歪み検出結果と、有効／無効信号Ｄ２が示す１ビットの歪み検出結果の有効／無効を示す信号だけで制御できる。
【０１０８】
上記構成によれば、増幅回路１１５の入出力特性を数式化して歪み補償制御する場合において、増幅回路１１５の数式化された入出力特性を構成する係数の更新を容易に行え、歪み補償部１０２の制御を簡単に行えるようになる。
【０１０９】
（実施の形態１５）
図４０は、実施の形態１５にかかる非線形歪み補償装置の構成を示す図である。実施の形態１５は、送信機１０１の増幅回路１１５（図１−２参照）の歪み補償を行う歪み補償部１０２を数式に基づき制御する場合において、歪み量の変化に対する追従性と安定性を両立させたものである。
【０１１０】
実施の形態１４において説明した係数制御部３８０２内部には、積分回路３８０３ａでの加算／減算または値「０」の加算の制御を行う積分制御部４００１と、入力される補償用信号Ｄ１と有効／無効信号Ｄ２に基づいて、積分回路３８０３ａに入力される定数Ａ１，Ａ３，Ａ５，Ａ７の絶対値を制御する絶対値制御部４００２と、定数設定部４００３が設定する定数Ａ１，Ａ３，Ａ５，Ａ７に対し、絶対値制御部４００２の出力である絶対値制御信号の乗算、および積分制御部４００１の出力である積分制御信号の乗算を行う乗算器４００４を有している。
【０１１１】
定数Ａ１，Ａ３，Ａ５，Ａ７は、それぞれ正または負の極性をもった値であり、絶対値制御部４００２からの制御信号により、一律な比率で絶対値の大きさが制御される。絶対値が制御された定数（Ａ１ａ，Ａ３ａ，Ａ５ａ，Ａ７ａ）には積分制御部４００１からの±１，０の制御信号が乗算され、積分回路３８０３ａに入力される。
【０１１２】
図４１は、実施の形態１５にかかる歪み補償の制御処理を示すフローチャートである。係数制御部３８０２の処理を抽出して記載してある。歪み補償が開始されると（ステップＳ４１０１）、絶対値制御部４００２は、はじめに絶対値を初期値Ｋとして出力する（ステップＳ４１０２）。この後、条件切替を判断する（ステップＳ４１０３）。この際、実施の形態７において説明したように歪み補償部１０２は、一定時間が経過するまで、あるいは制御ループが未収束の間は条件切替せず（ステップＳ４１０３：Ｎｏのループ）、一定時間の経過、あるいは制御ループの収束により条件切替する（ステップＳ４１０３：Ｙｅｓ）。
【０１１３】
これにより絶対値を初期値Ｋから増加または減少する方向に変更する（ステップＳ４１０４）。この際、制御信号の変化量を大きくしたい場合には、定数Ａ１，Ａ３，Ａ５，Ａ７の絶対値を大きくする。一方、安定した動作にしたい場合には定数Ａ１，Ａ３，Ａ５，Ａ７の絶対値を小さくし、制御信号の変化量を小さくする。このように条件別に定数の重みづけを変更する。
【０１１４】
上記構成によれば、係数毎に重みづけされた定数の加算または減算により係数を制御する歪み補償回路において、大幅な補償量変化が要求される場合には制御速度優先の定数とし、補償量の安定が要求される場合には制御安定性を優先とする定数に切り替えることで、歪み量の変化に対する追従性と安定性を確保することができるようになる。
【０１１５】
（実施の形態１６）
図４２は、実施の形態１６にかかる非線形歪み補償装置の構成を示す図である。実施の形態１６は、実施の形態１５の変形例であり、制御ループの収束を検出して、この収束検出結果に応じて定数の絶対値を変更することにより、収束前／収束後の定数切り替えを安定させるものである。
【０１１６】
図４２の構成において、補償用信号Ｄ１と、有効／無効信号Ｄ２は、収束検出部４２０１に対しても入力される。収束検出部４２０１は、これら補償用信号Ｄ１と、有効／無効信号Ｄ２による歪み有無の判定結果から制御ループの収束を検出し、絶対値制御部４００２を制御する。定数Ａ１，Ａ３，Ａ５，Ａ７は、それぞれ正または負の極性をもった値で絶対値制御部４００２からの制御信号により一律の比率で絶対値の大きさが制御される。絶対値が制御された定数Ａ１ａ，Ａ３ａ，Ａ５ａ，Ａ７ａには積分制御部４００１からの±１，０の制御信号が乗算され、積分回路３８０３ａに入力される。
【０１１７】
図４３−１は、実施の形態１６にかかる歪み補償の制御処理を示すフローチャートである。また、図４３−２は、歪み検出結果の発生状態を説明する図である。横軸は時間、縦軸は歪み検出結果（補償用信号Ｄ１）である。歪み検出結果（補償用信号Ｄ１）の値「１」＝「基準値より大」を歪み無しまたは過補償とし、「０」＝「基準値より小」を歪みありとする。
【０１１８】
歪み補償を開始すると（ステップＳ４３０１）、絶対値制御部４００２は、はじめに絶対値を初期値Ｋとして出力する（ステップＳ４３０２）。この後、収束検出部４２０１により、歪み検出結果「１，０」の発生比率（出現率）を監視する（ステップＳ４３０３）。図４３−２に示すように、たとえば、はじめは、歪み検出結果（補償用信号Ｄ１）の値に「１」が発生する頻度が多い。
【０１１９】
そして、歪み検出結果「１，０」の発生比率が５０％に近づくまで監視し（ステップＳ４３０４：Ｎｏのループ）、図４３−２に示すように発生比率が５０％に近づくと（ステップＳ４３０４：Ｙｅｓ）、制御ループが収束したことに基づくものであるから、絶対値制御部４００２に収束情報を出力し、絶対値制御部４００２では収束情報に応じて定数Ａ１，Ａ３，Ａ５，Ａ７の絶対値を変更して小さくする（ステップＳ４３０５）。これにより歪み補償量の精度を高くすることができる。
【０１２０】
この後においても歪み検出結果「１，０」の発生比率を監視し（ステップＳ４３０６、およびステップＳ４３０７：Ｙｅｓのループ）、図４３−２に示すように、発生比率が５０％から再度はずれると（ステップＳ４３０７：Ｎｏ）、制御ループ収束後における増幅回路１１５の状態変化等の要因で歪み補償量が最適ではなくなり、歪み検出結果の「１」，「０」の発生比率に偏りが生じたものであるから、定数Ａ１，Ａ３，Ａ５，Ａ７の絶対値を大きくする（ステップＳ４３０８）。以降、ステップＳ４３０３に戻り制御を継続する。
【０１２１】
上記構成によれば、歪み補償開始後においては、歪み検出結果「１，０」の発生比率が５０％となるように定数Ａ１，Ａ３，Ａ５，Ａ７の絶対値を小さくすることにより歪み補償量の精度を高くし、制御ループの収束を図る。また、制御ループ収束後であっても、増幅回路の状態の変化等で歪み補償量が最適でなくなった場合には、歪み検出結果の「１」，「０」の発生比率の偏りを監視して、定数Ａ１，Ａ３，Ａ５，Ａ７の絶対値を大きくすることにより、速やかに最適な歪み補償量に変更することが可能となる。このように、係数毎に重みづけされた定数の加算または減算により係数を制御する歪み補償回路において、加算／減算される定数の絶対値を変更可能とし、また制御ループの収束を検出し、この収束検出結果に応じて定数の絶対値を変更することにより、収束前／収束後の定数切り替えを安定させることができるようになる。
【０１２２】
以上説明したように、開示の非線形歪み補償装置および非線形歪み補償方法によれば、デジタル無線通信において受信機が受信した受信信号から非線形歪みを検出し、この検出した非線形歪みの情報を送信機側に送信し、送信機側で歪みを補償することができる。これにより、送信機の増幅回路において生じた非線形歪みを送信元である送信機側で解消することができ、通信品質を向上できるようになる。
【０１２３】
上述した実施の形態に関し、さらに以下の付記を開示する。
【０１２４】
（付記１）受信信号の再生により非線形歪みを検出し、検出した非線形歪みの情報を、送信機側に設けられて非線形歪みを補償する歪み補償部に対する制御情報として出力する歪み検出部を備えたことを特徴とする非線形歪み補償装置。
【０１２５】
（付記２）前記歪み検出部は、前記受信信号の再生時に観測された信号点および信号点間を移動する場合の通過座標と、基準となる信号点座標との対応関係に基づいて前記送信機側に設けられる増幅回路の入出力特性を求め、当該入出力特性を前記歪み補償部の補償用信号として出力する入出力特性変換部を備えたことを特徴とする付記１に記載の非線形歪み補償装置。
【０１２６】
（付記３）前記歪み検出部は、移動する信号点によって限定される信号点間の通過すべき基準座標を算出する基準値発生部と、
受信信号の再生時に観測された通過座標を抽出する通過座標抽出部と、
前記基準座標と前記通過座標との比較により得た歪み検出結果を、前記歪み補償部の補償用信号として出力する比較部と、
を備えたことを特徴とする付記１に記載の非線形歪み補償装置。
【０１２７】
（付記４）前記基準値発生部は、前記送信機側に設けられる帯域制限フィルタと同等のデジタルフィルタを備え、当該デジタルフィルタの出力を前記基準座標として得ることを特徴とする付記３に記載の非線形歪み補償装置。
【０１２８】
（付記５）前記基準値発生部に入力される受信信号は、波形等化、干渉補償、誤り訂正の処理後の信号であることを特徴とする付記３または４に記載の非線形歪み補償装置。
【０１２９】
（付記６）前記受信信号の特定の信号点の移動を検出する特定信号移動検出部を備え、
前記特定信号移動検出部は、前記特定の信号点の移動が検出されたときにおける前記補償用信号の歪み検出結果を有効にする有効信号を前記歪み補償部に出力することを特徴とする付記２〜５のいずれか一つに記載の非線形歪み補償装置。
【０１３０】
（付記７）前記特定信号移動検出部は、前記特定の信号点の移動の検出に用いる信号点の数を異ならせた複数のパターンを有し、当該パターンを切替部により条件別に切り替えることを特徴とする付記６に記載の非線形歪み補償装置。
【０１３１】
（付記８）前記切替部を前記送信機側に設けたことを特徴とする付記７に記載の非線形歪み補償装置。
【０１３２】
（付記９）前記特定信号移動検出部は、制御ループを収束させるに適した第１の特定信号移動条件を検出する第１の特定信号移動条件検出部と、
歪み補償の精度を得るに適した第２の特定信号移動条件を検出する第２の特定信号移動条件検出部とを備えたことを特徴とする付記６に記載の非線形歪み補償装置。
【０１３３】
（付記１０）前記第２の特定信号移動条件は、前記第１の特定信号移動条件を含む設定であることを特徴とする付記９に記載の非線形歪み補償装置。
【０１３４】
（付記１１）受信信号の信号点座標と、正規の信号点座標との差異を検出し、当該差異が所定の閾値を超えた場合に、前記補償用信号の歪み検出結果を無効にする無効信号を前記歪み補償部に出力する信号点誤差検出部を備えたことを特徴とする付記３〜５のいずれか一つに記載の非線形歪み補償装置。
【０１３５】
（付記１２）受信信号の受信電力が所定の閾値より低下したことを検出した場合に、前記補償用信号の歪み検出結果を無効にする無効信号を前記歪み補償部に出力する受信電力低下検出部を備えたことを特徴とする付記３〜５のいずれか一つに記載の非線形歪み補償装置。
【０１３６】
（付記１３）受信信号をデジタル信号として出力する際の信号誤り率劣化を検出した場合に、前記補償用信号の歪み検出結果を無効にする無効信号を前記歪み補償部に出力するデジタル信号処理部を備えたことを特徴とする付記３〜５のいずれか一つに記載の非線形歪み補償装置。
【０１３７】
（付記１４）前記歪み補償部は、前記増幅回路の入出力特性を示す所定の近似式を用いて非線形歪みを補償するものである場合、前記近似式に含まれる複数の係数のうち補償量の変化の影響の少ない係数については初期値に固定させ、影響の大きい係数については、前記補償用信号に基づいて可変制御し、前記歪み補償部に出力する係数設定部を備えたことを特徴とする付記１〜３のいずれか一つに記載の非線形歪み補償装置。
【０１３８】
（付記１５）前記係数設定部は、前記補償用信号が示す歪み検出結果の有無に応じて、前記係数を重みづけされた定数によって変更することを特徴とする付記１４に記載の非線形歪み補償装置。
【０１３９】
（付記１６）前記係数設定部は、前記補償用信号が示す歪み検出結果の有無に応じて、前記定数の重みづけを変更することを特徴とする付記１５に記載の非線形歪み補償装置。
【０１４０】
（付記１７）前記歪み補償部による非線形歪みの補償の制御処理の収束を検出する収束検出部を備え、
前記係数設定部は、前記収束検出部により検出された収束の状態に基づいて前記定数の重みづけを変更することを特徴とする付記１６に記載の非線形歪み補償装置。
【０１４１】
（付記１８）受信信号の再生により非線形歪みを検出し、検出した非線形歪みの情報を、送信機側に設けられて非線形歪みを補償する歪み補償部に対する制御情報として出力する歪み検出工程を含むことを特徴とする非線形歪み補償方法。
【０１４２】
（付記１９）前記歪み検出工程は、前記受信信号の再生時に観測された信号点および信号点間を移動する場合の通過座標と、基準となる信号点座標との対応関係に基づいて前記送信機側に設けられる増幅回路の入出力特性を求め、当該入出力特性を前記歪み補償部の補償用信号として出力する入出力特性変換工程を含むことを特徴とする付記１８に記載の非線形歪み補償方法。
【０１４３】
（付記２０）前記歪み検出工程は、移動する信号点によって限定される信号点間の通過すべき基準座標を算出する基準値発生工程と、
受信信号の再生時に観測された通過座標を抽出する通過座標抽出工程と、
前記基準座標と前記通過座標との比較により得た歪み検出結果を、前記歪み補償部の補償用信号として出力する比較工程と、
を含むことを特徴とする非線形歪み補償方法。
【図面の簡単な説明】
【０１４４】
【図１−１】実施の形態１にかかる非線形歪み補償装置の構成を示す図である。
【図１−２】送信機の内部構成を示す図である。
【図２】実施の形態１にかかる歪み補償の制御処理を示すフローチャートである。
【図３】入出力特性変換部の変換状態を説明する図である。
【図４】実施の形態２にかかる非線形歪み補償装置の構成を示す図である。
【図５】受信信号が信号点間を移動した際の信号空間上の通過信号点の座標を示すアイパターンである。
【図６】実施の形態２にかかる歪み補償の制御処理を示すフローチャートである。
【図７】差分の算出状態を示す具体例を示す図である。
【図８】実施の形態３にかかる非線形歪み補償装置の構成を示す図である。
【図９】受信信号が信号点間を移動した際の通過信号点の例を示す図である。
【図１０】装置各部で検出される受信信号を示す図である。
【図１１】実施の形態３にかかる歪み補償の制御処理を示すフローチャートである。
【図１２】実施の形態４にかかる非線形歪み補償装置の構成を示す図である。
【図１３】実施の形態４にかかる歪み補償の制御処理を示すフローチャートである。
【図１４】実施の形態５にかかる非線形歪み補償装置の構成を示す図である。
【図１５】特定信号移動検出部における特定した信号点の移動の検出状態を説明する図である。
【図１６】特定信号移動条件に合致した受信信号の電力の累積状態を示す図である。
【図１７−１】実施の形態５にかかる歪み補償の制御処理を示すフローチャートである。
【図１７−２】各信号のタイミングチャートを示す図である。
【図１８】特定信号移動の判断の具体例を示すタイミングチャート図である。
【図１９】実施の形態６にかかる非線形歪み補償装置の構成を示す図である。
【図２０】特定信号移動条件別に合致した受信信号の電力の累積状態を示す図である。
【図２１】特定信号移動検出部における特定した信号点の移動の検出状態の切り替えを説明する図である。
【図２２】実施の形態６にかかる歪み補償の制御処理を示すフローチャートである。
【図２３】実施の形態７にかかる非線形歪み補償装置の構成を示す図である。
【図２４】特定信号移動条件の切り替えを説明するフローチャートである。
【図２５−１】特定信号移動条件の切り替えタイミングの具体例を示す図である（タイマー動作の場合）。
【図２５−２】特定信号移動条件の切り替えタイミングの具体例を示す図である（制御ループ監視の場合）。
【図２６】実施の形態８にかかる非線形歪み補償装置の構成を示す図である。
【図２７】特定信号移動条件検出部における特定した信号点の移動の検出状態を説明する図である。
【図２８−１】特定信号移動条件の合致検出の処理を説明するフローチャートである。
【図２８−２】特定信号移動条件の合致検出の処理を説明するフローチャートである。
【図２９】実施の形態９にかかる非線形歪み補償装置の構成を示す図である。
【図３０】特定信号移動検出部１，２における特定した信号点の移動の検出状態を説明する図である。
【図３１−１】特定信号移動条件の合致検出の処理を説明するフローチャートである。
【図３１−２】特定信号移動条件の合致検出の処理を説明するフローチャートである。
【図３２】実施の形態１０にかかる非線形歪み補償装置の構成を示す図である。
【図３３−１】信号点誤差検出部の検出内容を説明する図である。
【図３３−２】実施の形態１０にかかる歪み補償の制御処理を示すフローチャートである。
【図３４】実施の形態１１にかかる非線形歪み補償装置の構成を示す図である。
【図３５−１】受信電力低下検出部の検出内容を説明する図である。
【図３５−２】実施の形態１１にかかる歪み補償の制御処理を示すフローチャートである。
【図３６】実施の形態１２にかかる非線形歪み補償装置の構成を示す図である。
【図３７−１】デジタル信号処理部による誤り率の検出内容を説明する図である。
【図３７−２】実施の形態１２にかかる歪み補償の制御処理を示すフローチャートである。
【図３８】実施の形態１３にかかる非線形歪み補償装置の構成を示す図である。
【図３９】実施の形態１４にかかる非線形歪み補償装置の構成を示す図である。
【図４０】実施の形態１５にかかる非線形歪み補償装置の構成を示す図である。
【図４１】実施の形態１５にかかる歪み補償の制御処理を示すフローチャートである。
【図４２】実施の形態１６にかかる非線形歪み補償装置の構成を示す図である。
【図４３−１】実施の形態１６にかかる歪み補償の制御処理を示すフローチャートである。
【図４３−２】歪み検出結果の発生状態を説明する図である。
【符号の説明】
【０１４５】
１００  非線形歪み補償装置
１０１  送信機
１０２  歪み補償部
１０５，１２００  受信機
１０７  入出力特性変換部
１１５  増幅回路
４０２  歪み検出部
４０３  基準値発生部
４０４  通過座標抽出部
４０５  比較部
８０２  識別判定部
８０３  ＦＩＲフィルタ
１２０１  波形等化部
１２０２  干渉補償部
１２０３  誤り訂正部
１４０１  特定信号移動検出部
１４０１ａ  特定信号移動条件１検出部
１４０１ｂ  特定信号移動条件２検出部
１９０１  切替制御部
３２０１  信号点誤差検出部
３２０２  補償量制御部
３４０１  受信電力低下検出部
３６０１  デジタル信号処理部
３８０１  係数設定部
【図１−１】
2010130071.tif 000003
【図１−２】
2010130071.tif 000004
【図２】
2010130071.tif 000005
【図３】
2010130071.tif 000006
【図４】
2010130071.tif 000007
【図５】
2010130071.tif 000008
【図６】
2010130071.tif 000009
【図７】
2010130071.tif 000010
【図８】
2010130071.tif 000011
【図９】
2010130071.tif 000012
【図１０】
2010130071.tif 000013
【図１１】
2010130071.tif 000014
【図１２】
2010130071.tif 000015
【図１３】
2010130071.tif 000016
【図１４】
2010130071.tif 000017
【図１５】
2010130071.tif 000018
【図１６】
2010130071.tif 000019
【図１７−１】
2010130071.tif 000020
【図１７−２】
2010130071.tif 000021
【図１８】
2010130071.tif 000022
【図１９】
2010130071.tif 000023
【図２０】
2010130071.tif 000024
【図２１】
2010130071.tif 000025
【図２２】
2010130071.tif 000026
【図２３】
2010130071.tif 000027
【図２４】
2010130071.tif 000028
【図２５−１】
2010130071.tif 000029
【図２５−２】
2010130071.tif 000030
【図２６】
2010130071.tif 000031
【図２７】
2010130071.tif 000032
【図２８−１】
2010130071.tif 000033
【図２８−２】
2010130071.tif 000034
【図２９】
2010130071.tif 000035
【図３０】
2010130071.tif 000036
【図３１−１】
2010130071.tif 000037
【図３１−２】
2010130071.tif 000038
【図３２】
2010130071.tif 000039
【図３３−１】
2010130071.tif 000040
【図３３−２】
2010130071.tif 000041
【図３４】
2010130071.tif 000042
【図３５−１】
2010130071.tif 000043
【図３５−２】
2010130071.tif 000044
【図３６】
2010130071.tif 000045
【図３７−１】
2010130071.tif 000046
【図３７−２】
2010130071.tif 000047
【図３８】
2010130071.tif 000048
【図３９】
2010130071.tif 000049
【図４０】
2010130071.tif 000050
【図４１】
2010130071.tif 000051
【図４２】
2010130071.tif 000052
【図４３−１】
2010130071.tif 000053
【図４３−２】
2010130071.tif 000054